(57)【要約】【課題】用紙媒体を用いて印刷された情報以上のより詳細な情報を認証されたユーザだけに参照可能とする。【解決手段】文書情報と該文書情報に対する認証情報とを入力し、文書情報と認証情報とを記録媒体１２０に書き込み、任意のユーザが参照可能な文書情報の目次である文書情報の一部を用紙媒体１１０に印刷する。そして、ユーザが目次に基づき、取得したい文書情報に対する認証情報を入力し、認証した結果、許可されたユーザの場合に、文書情報を記録媒体１２０から読み出して表示する。【選択図】      図１
2004152004.tif 000002
【特許請求の範囲】
【請求項１】
用紙媒体上に付加された記録媒体に対して情報を読み出し及び書き込み可能な画像処理装置であって、
文書情報と該文書情報に対する認証情報とを入力する入力手段と、
入力した文書情報と認証情報とを記録媒体に書き込む書込み手段と、
書き込んだ文書情報の一部を用紙媒体上に印刷する印刷手段とを有することを特徴とする画像処理装置。
【発明の詳細な説明】
【０００１】
【発明の属する技術分野】
本発明は、用紙媒体上に付加された記録媒体に対して情報を読み出し及び書き込むことに関する。
【０００２】
【従来の技術】
原稿を複写するためには、原稿をスキャナで読み取り、それをプリンタで印刷するという手順が必要である。また、多くの情報を伝えるには原稿として多量の用紙媒体を使う必要がある。
【０００３】
近年では、原稿には一部の情報とインターネットのＵＲＬ（Ｕｎｉｆｏｒｍ  ＲｅｓｏｕｒｃｅＬｏｃａｔｏｒ）を印刷しておき、必要であればブラウザでＵＲＬを指定してより詳細な情報を表示や印刷可能とすることで、原稿には全ての情報を入れないでも多くの情報を伝えることが行われている。
【０００４】
また、ＲＦＩＤ（Ｒａｄｉｏ  Ｆｒｅｑｕｅｎｃｙ  Ｉｄｅｎｔｉｆｉｃａｔｉｏｎ）チップと呼ばれる、物を自動識別するための非接触型ＩＣチップが物流で使用されており、中には数ミリ角に小型化されて紙に埋め込むことが可能なチップも製品化されている（例えば、特許文献１参照）。そして、その記憶容量も次第に大容量のものが開発されてきている。
【０００５】
【特許文献１】
特開２００１−１４３０２６号公報
【発明が解決しようとする課題】
つまり、従来例では、原稿に全ての情報をのせるには多量の原稿が必要となり、限られた人だけに閲覧させたい情報も全ての人が参照可能となってしまう、という問題があった。
【０００６】
また、情報をネットワークサーバに置くことで原稿の情報量を少なくできるが、情報をサーバから取得するので、ネットワークが必須であり、情報をサーバにおくことが必要となるため、サーバを設置しなくてはならず、更には情報をオンラインで送受信するため、情報の漏洩が考えられる、という問題があった。
【０００７】
本発明は、上記課題を解決するためになされたもので、用紙媒体を用いて印刷された情報以上のより詳細な情報を認証されたユーザだけに参照可能とすることで、不必要に多くの情報を伝えてしまうことがなく、かつ許可されたユーザのみに十分な情報を参照、印刷可能とすることを目的とする。
【０００８】
また、ネットワークに接続することやサーバを必要とすることなく、印刷されている内容以上の情報を閲覧、印刷可能とすることを目的とする。
【０００９】
【課題を解決するための手段】
上記目的を達成するために、本発明は、用紙媒体上に付加された記録媒体に対して情報を読み出し及び書き込み可能な画像処理装置であって、文書情報と該文書情報に対する認証情報とを入力する入力手段と、入力した文書情報と認証情報とを記録媒体に書き込む書込み手段と、書き込んだ文書情報の一部を用紙媒体上に印刷する印刷手段とを有することを特徴とする。
【００１０】
【発明の実施の形態】
以下、図面を参照しながら本発明に係る実施の形態を詳細に説明する。
【００１１】
図１は、本実施形態における用紙媒体を示す図である。図１において、１１０は用紙媒体である。１２０はＲＦＩＤチップであり、原稿が持つべき情報を充分格納できる容量を備えたＩＣメモリチップである。このＲＦＩＤチップ１２０内には、画像情報１３０及び文章情報１４０が記憶され、それぞれに対応した認証情報が属性として付随されている。また、これらの情報は後述する画像処理装置によって書き込み及び読み出し可能である。
【００１２】
また、ＲＦＩＤチップ１２０にはアンテナが組み込まれており、電波を用いて後述する読取器（ＲＦＩＤチップリーダ）及び書込器（ＲＦＩＤチップライタ）との間でデータの通信が可能である。
【００１３】
図１に示すように、用紙媒体１１０にはＲＦＩＤチップ１２０内の情報の目次が誰でも参照できる情報として印刷されている。全てのユーザはこの目次を見ることで、ＲＦＩＤチップ１２０内の情報の概要を知ることができる。
【００１４】
図２は、本実施形態における画像処理システムの構成を示すブロック図である。図２に示すように、原稿作成ユーザ２２０は、パーソナルコンピュータなどのホストコンピュータ２１０上で動作するワードプロセッサを用いて、文書や画像情報を作成する。また、これらの情報に対して参照可能な条件を付随することができる。ここで、原稿作成ユーザ２２０は画像処理装置２００におけるＲＦＩＤチップライタ２０２を通して用紙媒体２３０内のＲＦＩＤチップ２３１に情報を書き込み、その目次を印刷した上で、用紙媒体２３０を原稿として配布する。
【００１５】
一方、原稿利用ユーザ２４０は、原稿に印刷された目次の中から、より詳細に見たい情報があった場合に、その用紙媒体２３０に埋め込まれたＲＦＩＤチップ２３１内の情報を画像処理装置２００に接続されたＲＦＩＤチップリーダ２０１によってアンテナを介して読み出す。尚、ＲＦＩＤチップ２３１には、関連する全情報が含まれるため、ネットワーク経由でサーバなどに接続する必要がなく、データの外部への漏洩やサーバのメンテナンスは不要である。
【００１６】
ここで、ＲＦＩＤチップ２３１から取り出そうとする情報に認証が必要か否かを確認するために、ＲＦＩＤチップ２３１内に書き込まれた認証データが使用される。ここでは、ユーザからの入力を受け取るための認証キー入力部２０５から入力された認証情報とＲＦＩＤチップ２３１内の認証データとを認証部２０４が比較して認証を行う。この認証部２０４の認証方法には、キーボードからの暗証番号入力や指紋入力による個人認証などがある。
【００１７】
次に、認証がされた場合には対応するＲＦＩＤチップ２３１内の情報（文章、画像）が情報表示部２０６上に表示される。また、必要であれば、プリンタ等の印刷部２０３により、ＲＦＩＤチップ２３１を埋め込んでいない他の用紙媒体に印刷することも可能である。
【００１８】
尚、画像処理装置２００には、本装置全体を制御するＣＰＵ、ＲＯＭ、ＲＡＭ及び周辺回路で構成される制御部２０７を含み、ＣＰＵがＲＯＭ内に格納されたプログラムや制御データに従って制御を行い、ＲＡＭには入力された画像データや各種テーブル等が記憶される。
【００１９】
図３は、ユーザが用紙媒体２３０を用いて複数ページにわたる詳細情報を印刷するまでの処理を示すフローチャートである。ここでは、複写機操作部のソフトウェア仕様書データをＲＦＩＤチップ２３１に保存した用紙媒体から必要とされる箇所の詳細ページを閲覧、印刷するまでの処理を例として取り上げる。
【００２０】
まず、仕様書作成者はワードプロセッサを用いて仕様書を作成する（ステップＳ３０１）。この仕様書には、文書や画像、それぞれに対しての認証情報が含まれている。また、認証情報はそれぞれのレベルにレベルわけされ、レベルの低いものからレベル１（認証不要）、レベル２（一般用）、レベル３（制限無し）となっている。
【００２１】
続いて、作成者は出力先に画像処理装置２００を指定し、仕様書データを送信する（ステップＳ３０２）。尚、画像処理装置２００には、ＲＦＩＤチップ内蔵の用紙がカセット内に充填されている。ここで、画像処理装置２００はＲＦＩＤチップライタ２０２によってホスト２１０から受信した仕様書データをチップに書き込む（ステップＳ３０３）。そして、参考用として、用紙表面には仕様書の目次を印字する（ステップＳ３０４）。
【００２２】
次に、ユーザが用紙媒体を用いた原稿に基づき、所望の情報を参照、印刷するまでの処理の流れについて説明する。
【００２３】
図４は、本実施形態における認証及び印刷処理を示すフローチャートである。まず、印字された用紙を受け取ったユーザはその用紙に印刷された目次を見て、その内容物の一覧を確認する（ステップＳ４０１）。ここで各自の用途によって必要があれば、発行元（情報の作成者）に認証キーを発行してもらう（ステップＳ４０２）。即ち、ソフトウェアの機能概要のみわかれば良い場合には一般用のレベル２の認証キーを発行してもらう。また、ソフトウェア設計者など、ソフトウェアのソースコードなど全情報が必要な場合はレベル３の発行が必要となり、場合によっては認証キーの発行は有料となる。
【００２４】
次に、認証キーを受け取ったユーザは、より詳細な資料を得るために配布された用紙をＲＦＩＤチップリーダ２０１が搭載された画像処理装置２００によって読み込ませる（ステップＳ４０３）。ここで、画像処理装置２００の情報表示部２０６には、ＲＦＩＤチップリーダ２０１から読み取られた情報を元に印刷物と同じ目次が表示される。これにより、ユーザが詳細を参照したい個所をクリックすると、認証データにより保護されている内容であれば、認証パスワードを要求する画面が表示される（ステップＳ４０４）。ここで、ユーザがあらかじめ取得した認証キーを入力し（ステップＳ４０５）、そのキーが正しいと認証されると（ステップＳ４０６）、ソフトウェアのソースコードなどの詳細な情報を表示部２０６から閲覧することが可能となる（ステップＳ４０７）。また、認証キーが有効でなければ、この認証処理を続行するか、中断するかが表示され（ステップＳ４１０）、続行するのであればステップＳ４０４に戻り、中断するのであれば、この処理を終了する。
【００２５】
更にユーザが必要とするのであれば、操作パネルから指示を行い（ステップＳ４０８）、用紙媒体での印刷も可能である（ステップＳ４０９）。
【００２６】
以上説明したように、本実施形態によれば、可搬性のよい用紙媒体を使いながらも大量の情報を保持でき、誰にでも閲覧を許可して良い情報の一部だけを用紙に印刷することで、データ保護と大量の情報の保持を同時に可能とする用紙媒体を得ることができる。
【００２７】
また、公開してもよい情報は全ての人に閲覧可能とし、詳細情報の閲覧を許可された人がネットワークに接続することなく、より詳細な情報を参照、印刷することが可能となる。
【００２８】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００２９】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００３０】
この場合、記録媒体から読出されたプログラムコード自体が前述した実施形態の機能を実現することになり、そのプログラムコードを記憶した記録媒体は本発明を構成することになる。
【００３１】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００３２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００３３】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００３４】
以下、本発明の実施態様の例を列挙する。
【００３５】
［実施態様１］  用紙媒体上に付加された記録媒体に対して情報を読み出し及び書き込み可能な画像処理装置であって、
文書情報と該文書情報に対する認証情報とを入力する入力手段と、
入力した文書情報と認証情報とを記録媒体に書き込む書込み手段と、
書き込んだ文書情報の一部を用紙媒体上に印刷する印刷手段とを有することを特徴とする画像処理装置。
【００３６】
［実施態様２］  前記文書情報の一部は、任意のユーザが参照可能な文書情報の目次であることをことを特徴とする実施態様１記載の画像処理装置。
【００３７】
［実施態様３］  前記文書情報の目次に基づき、ユーザが取得したい文書情報に対する認証情報を入力するよう指示する指示手段と、
入力された認証情報に基づき、前記文書情報を取得したいユーザが許可されたユーザか否かを認証するユーザ認証手段と、
許可されたユーザの場合に、前記文書情報を記録媒体から読み出して表示手段に表示させる表示制御手段とを更に有することを特徴とする実施態様２記載の画像処理装置。
【００３８】
［実施態様４］  前記表示手段に表示させた文書情報に対して印刷を指示する印刷指示手段を更に有することを特徴とする実施態様３記載の画像処理装置。
【００３９】
［実施態様５］  用紙媒体上に付加された記録媒体に対して情報を読み出し及び書き込み可能な画像処理装置の処理方法であって、
文書情報と該文書情報に対する認証情報とを入力する入力工程と、
入力した文書情報と認証情報とを記録媒体に書き込む書込み工程と、
書き込んだ文書情報の一部を用紙媒体上に印刷する印刷工程とを有することを特徴とする画像処理装置の処理方法。
【００４０】
［実施態様６］  前記文書情報の一部は、任意のユーザが参照可能な文書情報の目次であることをことを特徴とする実施態様５記載の画像処理装置の処理方法。
【００４１】
［実施態様７］  前記文書情報の目次に基づき、ユーザが取得したい文書情報に対する認証情報を入力するよう指示する指示工程と、
入力された認証情報に基づき、前記文書情報を取得したいユーザが許可されたユーザか否かを認証するユーザ認証工程と、
許可されたユーザの場合に、前記文書情報を記録媒体から読み出して表示手段に表示させる表示制御工程とを更に有することを特徴とする実施態様６記載の画像処理装置の処理方法。
【００４２】
［実施態様８］  前記表示手段に表示させた文書情報に対して印刷を指示する印刷指示工程を更に有することを特徴とする実施態様７記載の画像処理装置の処理方法。
【００４３】
［実施態様９］  コンピュータを実施態様１乃至実施態様４に記載の画像処理装置として機能させるためのプログラム。
【００４４】
［実施態様１０］  実施態様９に記載のプログラムが記録されたコンピュータ読み取り可能な記録媒体。
【００４５】
【発明の効果】
以上説明したように、本発明によれば、用紙媒体を用いて印刷された情報以上のより詳細な情報を認証されたユーザだけに参照可能とすることで、不必要に多くの情報を伝えてしまうことがなく、かつ許可されたユーザのみに十分な情報を参照、印刷可能とすることができる。
【図面の簡単な説明】
【図１】本実施形態における用紙媒体を示す図である。
【図２】本実施形態における画像処理システムの構成を示すブロック図である。
【図３】ユーザが用紙媒体２３０を用いて複数ページにわたる詳細情報を印刷するまでの処理を示すフローチャートである。
【図４】本実施形態における認証及び印刷処理を示すフローチャートである。
【符号の説明】
１１０  用紙媒体
１２０  ＲＦＩＤチップ
１３０  画像情報
１４０  文章情報
２００  画像処理装置
２０１  ＲＦＩＤチップリーダ
２０２  ＲＦＩＤチップライタ
２０３  印刷部
２０４  認証部
２０５  認証キー入力部
２０６  情報表示部
２０７  制御部
２１０  ホストコンピュータ
２２０  原稿作成ユーザ
２３０  用紙媒体
２３１  ＲＦＩＤチップ
２４０  原稿利用ユーザ
【図１】
2004152004.tif 000003
【図２】
2004152004.tif 000004
【図３】
2004152004.tif 000005
【図４】
2004152004.tif 000006